(57)【要約】【課題】キャッププレートと電極端子との締結を容易にし、優れた絶縁性及び堅固な密閉構造を有する２次電池を提供する。【解決手段】２次電池は、電極群を内蔵するケース、前記ケースの開口に結合して密閉するキャッププレート、キャッププレートの外面に結合される第１インシュレータ、キャッププレートと前記第１インシュレータに形成される第１端子孔及び第２端子孔に結合し、前記電極群に電気的に接続する電極端子、キャッププレートと前記第１インシュレータとの間に形成され、前記第１端子孔と前記第２端子孔の中心に対して一側に偏心して、キャッププレートと前記第１インシュレータとを結合する第１結合部、及び前記第１インシュレータと前記電極端子との間に形成され、前記電極端子の長さ方向の中心線に対して一側に偏心して、前記第１インシュレータと前記電極端子とを結合する第２結合部を含む。【選択図】図２
2010212240.tif 000002
【特許請求の範囲】
【請求項１】
電極群を内蔵するケース；
前記ケースの開口に結合して密閉するキャッププレート；
前記キャッププレートの外面に結合される第１インシュレータ；
前記キャッププレートと前記第１インシュレータに形成される第１端子孔及び第２端子孔に結合され、前記電極群に電気的に接続する電極端子；
前記キャッププレートと前記第１インシュレータとの間に形成され、前記第１端子孔と前記第２端子孔の中心に対して一側に偏心して、前記キャッププレートと前記第１インシュレータとを結合する第１結合部；及び
前記第１インシュレータと前記電極端子との間に形成され、前記電極端子の長さ方向の中心線に対して一側に偏心し、前記第１インシュレータと前記電極端子とを結合する第２結合部；
を含む２次電池。
【請求項２】
前記第１結合部は、
前記キャッププレートの外面で外側に突出形成される第１突起、及び
前記第１突起に対応する前記第１インシュレータの対向面に凹むように形成されて前記第１突起と結合される第１溝を含む、請求項１に記載の２次電池。
【請求項３】
前記第１突起は、
前記キャッププレートの長さ方向の一側端と前記第１端子孔と間に形成されて前記第１溝に結合される、請求項２に記載の２次電池。
【請求項４】
前記第２結合部は、
前記第１インシュレータで前記第２端子孔の外側に、少なくとも前記第２端子孔を含む範囲の多角形に形成される第１多角溝、及び
前記第１多角溝に対応して結合するように前記電極端子に突出形成される突出部を含む、請求項１〜３のいずれか１項に記載の２次電池。
【請求項５】
前記第１多角溝及び前記突出部は、
前記第１インシュレータの前記第２端子孔を中心に前記キャッププレートの長さ方向の一側端に偏心する長方形に形成される、請求項４に記載の２次電池。
【請求項６】
前記キャッププレートの内面に結合し、前記電極端子と結合される第３端子孔を有する第２インシュレータ；
前記電極群に接続し、前記電極端子と結合される第４端子孔を有する集電部材；
前記キャッププレートと前記第２インシュレータとの間に形成され、前記第１端子孔と前記第３端子孔の中心に対して少なくとも一側に偏心し、前記キャッププレートと前記第２インシュレータとを結合する第３結合部；をさらに含む、請求項１〜５のいずれか１項に記載の２次電池。
【請求項７】
前記第３結合部は、
前記第２インシュレータの外面で外側に突出形成される第２突起、及び
前記第２突起に対応する前記キャッププレートの対向面に凹むように形成されて前記第２突起と結合する第２溝を含む、請求項６に記載の２次電池。
【請求項８】
前記第２インシュレータと前記集電部材との間に形成され、前記第３端子孔と前記第４端子孔の中心に対して一側に偏心し、前記第２インシュレータと前記集電部材とを結合する第４結合部をさらに含む、請求項６または７に記載の２次電池。
【請求項９】
前記第４結合部は、
前記第２インシュレータの前記第３端子孔の外側に、少なくとも前記集電部材の前記第４端子孔を含む範囲の多角形に形成される第２多角溝と、
前記第２多角溝に対応して結合するように、前記集電部材に多角形に形成される多角プレートを含む、請求項８に記載の２次電池。
【請求項１０】
前記第２多角溝及び前記多角プレートは、
前記第３端子孔を中心に前記キャッププレートの長さ方向の一側端に偏心する長方形に形成される、請求項９に記載の２次電池。
【請求項１１】
前記第２多角溝と前記多角プレートは、
前記第３端子孔の反対側にそれぞれさらに延長形成されて結合する延長溝と延長部をさらに含む、請求項１０に記載の２次電池。
【請求項１２】
前記第１結合部及び前記第２結合部は、前記電極端子の中心線と平行する一直線上に形成される、請求項１に記載の２次電池。
【請求項１３】
前記第１結合部、前記第２結合部、及び前記第３結合部は、前記電極端子の中心線と平行する一直線上に形成される、請求項６に記載の２次電池。
【請求項１４】
前記キャッププレート、前記第１インシュレータ、及び前記第２インシュレータにそれぞれ形成される前記第１端子孔、第２端子孔、及び第３端子孔と前記電極端子との互いに対応する間に介在するガスケットをさらに含む、請求項６に記載の２次電池。
【請求項１５】
電極群を内蔵するケース；
前記ケースの開口に結合されるキャッププレート；
前記キャッププレートの外面に結合し、外周に突出したフランジに支持されるインシュレータ；
前記キャッププレートと前記インシュレータに形成される第１端子孔及び第２端子孔に結合し、前記電極群に電気的に接続する電極端子；及び
前記インシュレータと前記電極端子との間に形成され、前記電極端子の長さ方向の中心線に対して一側に偏心して結合される結合部；
を含む２次電池。
【請求項１６】
前記インシュレータは、
前記フランジに少なくとも一側面が支持されるように前記フランジに対応する対応面を有する、請求項１５に記載の２次電池。
【請求項１７】
前記インシュレータは、
一側の三辺の前記フランジに対応する多角形プレートに形成される、請求項１５に記載の２次電池。
【請求項１８】
前記結合部は、
前記インシュレータで前記第２端子孔の外側に少なくとも前記第２端子孔を含む範囲の多角形に形成される多角溝、及び
前記多角溝に対応して結合するように前記電極端子に突出形成される突出部を含む、請求項１５〜１７のいずれか１項に記載の２次電池。
【請求項１９】
前記多角溝及び前記突出部は、
前記インシュレータの前記第２端子孔を中心に前記キャッププレートの長さ方向の一側端に偏心する長方形に形成される、請求項１８に記載の２次電池。
【発明の詳細な説明】
【技術分野】
【０００１】
本発明は２次電池に関し、より詳しくは、電極端子とキャッププレートとの締結構造を改善した２次電池に関する。
【背景技術】
【０００２】
大容量の２次電池（ｒｅｃｈａｒｇｅａｂｌｅ  ｂａｔｔｅｒｙ）は、電気自動車またはハイブリッド自動車などのモータ駆動の電源用として使用される。大容量の２次電池は、単位セルの２次電池を複数具備し、単位セルを直列に接続して形成される。
【０００３】
単位セルの２次電池は、セパレータ（ｓｅｐａｒｅｔｏｒ）を介在して正極と負極で形成される電極群、電極群を内蔵するケース、ケースを密閉するキャッププレート、及び電極群に電気的に接続し、キャッププレートの端子孔によってケース外部に突出する電極端子を含む。
【０００４】
電極端子は、端子孔でキャッププレートとコーキング方式で締結され、電極端子とキャッププレートとの間を密閉させる。この場合、電極端子の短絡を防止するために、キャッププレートと電極端子との間には絶縁性樹脂がコーティングされる。
【発明の概要】
【発明が解決しようとする課題】
【０００５】
絶縁性樹脂のコーティングは、電極端子とキャッププレートとの締結により製造原価を上昇させる。コーティングされた絶縁性樹脂は優れた絶縁性を確保することが難しい。また、コーキング方式による締結時、電極端子がキャッププレートの端子孔で回転する可能性があり、電極端子の回転により密閉構造が破損する恐れがある。
【０００６】
そこで、本発明は、上記問題に鑑みてなされたものであり、本発明の目的とするところは、キャッププレートと電極端子との締結を容易にし、優れた絶縁性及び堅固な密閉構造を有する、新規かつ改良された２次電池を提供することにある。
【課題を解決するための手段】
【０００７】
上記課題を解決するために、本発明のある観点によれば、電極群を内蔵するケース、前記ケースの開口に結合して密閉するキャッププレート、前記キャッププレートの外面に結合される第１インシュレータ、前記キャッププレートと前記第１インシュレータに形成される第１端子孔及び第２端子孔に結合され、前記電極群に電気的に接続する電極端子、前記キャッププレートと前記第１インシュレータとの間に形成され、前記第１端子孔と前記第２端子孔の中心に対して一側に偏心して、前記キャッププレートと前記第１インシュレータとを結合する第１結合部、及び前記第１インシュレータと前記電極端子と間に形成され、前記電極端子の長さ方向の中心線に対して一側に偏心して、前記第１インシュレータと前記電極端子とを結合する第２結合部を含む、２次電池が提供される。
【０００８】
前記第１結合部は、前記キャッププレートの外面で外側に突出形成される第１突起、及び前記第１突起に対応する前記第１インシュレータの対向面に凹むように形成されて前記第１突起と結合する第１溝を含むことができる。
【０００９】
前記第１突起は、前記キャッププレートの長さ方向の一側端と前記第１端子孔との間に形成して、前記第１溝に結合することができる。
【００１０】
前記第２結合部は、前記第１インシュレータで前記第２端子孔の外側に少なくとも前記第２端子孔を含む範囲の多角形に形成される第１多角溝、及び前記第１多角溝に対応して結合するように前記電極端子に突出形成される突出部を含むことができる。
【００１１】
前記第１多角溝及び前記突出部は、前記第１インシュレータの前記第２端子孔を中心に前記キャッププレートの長さ方向の一側端に偏心する長方形に形成することができる。
【００１２】
前記２次電池は、前記キャッププレートの内面に結合され、前記電極端子と結合される第３端子孔を有する第２インシュレータ、前記電極群に接続し、前記電極端子と結合される第４端子孔を有する集電部材、及び前記キャッププレートと前記第２インシュレータとの間に形成され、前記第１端子孔と前記第３端子孔の中心に対して少なくとも一側端に偏心して、前記キャッププレートと前記第２インシュレータとを結合する第３結合部をさらに含むことができる。
【００１３】
前記第３結合部は、前記第２インシュレータの外面で外側に突出形成される第２突起、及び前記第２突起に対応する前記キャッププレートの対向面に凹むように形成され、前記第２突起と結合される第２溝とを含むことができる。
【００１４】
前記２次電池は、前記第２インシュレータと前記集電部材との間に形成され、前記第３端子孔と前記第４端子孔の中心に対して一側に偏心して、前記第２インシュレータと前記集電部材とを結合する第４結合部をさらに含むことができる。
【００１５】
前記第４結合部は、前記第２インシュレータの前記第３端子孔の外側に、少なくとも前記集電部材の前記第４端子孔を含む範囲の多角形に形成される第２多角溝、及び前記第２多角溝に対応して結合されるように前記集電部材に多角形に形成される多角プレートを含むことができる。
【００１６】
前記第２多角溝及び前記多角プレートは、前記第３端子孔を中心に前記キャッププレートの長さ方向の一側端に偏心する長方形に形成することができる。
【００１７】
前記第２多角溝と前記多角プレートは、前記第３端子孔の反対側にそれぞれさらに延長形成されて結合する延長溝と延長部をさらに含むことができる。
【００１８】
前記第１結合部及び前記第２結合部は、前記電極端子の中心線と平行する一直線上に形成することができる。
【００１９】
前記第１結合部、前記第２結合部、及び前記第３結合部は、前記電極端子の中心線と平行する一直線上に形成することができる。
【００２０】
前記２次電池は、前記キャッププレート、前記第１インシュレータ、及び前記第２インシュレータにそれぞれ形成される前記第１端子孔、第２端子孔、及び第３端子孔と前記電極端子との互いに対応する間に介在するガスケットをさらに含むことができる。
【００２１】
また、上記課題を解決するために、本発明の別の観点によれば、電極群を内蔵するケース、前記ケースの開口に結合されるキャッププレート、前記キャッププレートの外面に結合し、外周に突出したフランジに支持されるインシュレータ、前記キャッププレートと前記インシュレータに形成される第１端子孔及び第２端子孔に結合し、前記電極群に電気的に接続する電極端子、及び前記インシュレータと前記電極端子との間に形成され、前記電極端子の長さ方向の中心線に対して一側に偏心して結合される結合部を含む、２次電池が提供される。
【００２２】
前記インシュレータは、前記フランジに少なくとも一側面が支持されるように前記フランジに対応面を有することができる。前記インシュレータは一側の三辺のフランジに対応する多角形プレートに形成することができる。
【００２３】
前記結合部は、前記インシュレータで前記第２端子孔の外側に、少なくとも前記第２端子孔を含む範囲の多角形に形成される多角溝、及び前記多角溝に対応して結合するように前記電極端子に突出形成される突出部を含むことができる。
【００２４】
前記多角溝及び前記突出部は、前記インシュレータの前記第２端子孔を中心に前記キャッププレートの長さ方向の一側端に偏心する長方形に形成することができる。
【発明の効果】
【００２５】
以上説明したように本発明によれば、キャッププレートと第１インシュレータとの間に第１結合部を形成し、第１インシュレータと電極端子との間に第２結合部を備えるので、電極端子の回転を防止し、また、密閉構造を堅固にする効果がある。なお、複数の端子孔と電極端子との間にガスケットを介在するので、電極端子の締結を容易にし、優れた絶縁性を持たせる効果がある。
【図面の簡単な説明】
【００２６】
【図１】本発明の一実施形態による２次電池の斜視図である。
【図２】図１のＩＩ−ＩＩ線に沿った斜視図である。
【図３】図２のキャッププレートと電極端子との結合部を分解して示した一方向の斜視図である。
【図４】図２のキャッププレートと電極端子との結合部を分解して示した他の方向の斜視図である。
【発明を実施するための形態】
【００２７】
以下、添付した図面を参照して、本発明の実施形態について本発明が属する技術分野で通常の知識を有する者が容易に実施できるように詳細に説明する。しかし、本発明は種々の相異な形態に実現でき、ここで説明する実施形態に限られない。図面において、本発明を明確に説明するために、説明上不必要な部分は省略し、明細書の全体にわたって同一または類似する構成要素に対しては同一の参照符号を付けた。
【００２８】
図１は、本発明の一実施形態による２次電池の斜視図であり、図２は、図１のＩＩ−ＩＩ線に沿った斜視図である。図１及び図２を参照すると、一実施形態による２次電池１００は、正極１１、負極１２、及びセパレータ１３を巻取って形成される電極群１０、電極群１０を内蔵するケース２０、ケース２０の開口に結合されるキャッププレート３０、及びキャッププレート３０を貫いて電極群１０に電気的に接続する電極端子４０を含む。
【００２９】
電極群１０は、絶縁体のセパレータ１３を介在して両面に配置される正極１１と負極１２をセパレータ１３と共に巻取りすることによってゼリーロールの形態となる。正極１１及び負極１２のそれぞれは、薄板の金属箔で形成された集電体に、活物質が塗布された領域のコーティング部と、活物質がコーティングされない領域の無地部１１ａ、１２ａとを含む。無地部１１ａ、１２ａは、正極１１及び負極１２の長さ方向の一側端に形成され、互いに反対側に形成される。無地部１１ａ、１２ａは、集電部材６０を通じて電極端子４０に接続される。
【００３０】
ケース２０は、２次電池１００の全体的な外形を形成し、アルミニウム、アルミニウム合金、またはニッケルメッキのスチールのような導電性金属で形成される。ケース２０は電極群１０を内蔵する空間を形成し、図示したように、六面体の角型またはその他の形状（図示せず）とすることができる。
【００３１】
キャッププレート３０は、薄い板材からなり、ケース２０の一側に形成される開口に結合されて開口を密閉し、密閉された内部に電解液を注入する電解液注入口（図示せず）を有する。電解液注入口は、電解液を注入して後、密封キャップ５１により密封される。キャッププレート３０は、２次電池１００の爆発を防止するために設定された内部圧力により切開されるベント部５２を有する。
【００３２】
電極端子４０は、キャッププレート３０の第１端子孔４１（図３、図４参照）に締結され、電極群１０をケース２０の外部に引き出す。本実施形態では、キャッププレート３０と電極端子４０とを互いに締結することにより、締結を容易にし、締結状態で密閉構造を維持すると共に、絶縁性を確保することができる。
【００３３】
図３は、図２のキャッププレートと電極端子との結合部を分解して示した一方向の斜視図であり、図４は、図２のキャッププレートと電極端子と結合部を分解して示した他の方向の斜視図である。図３及び図４を参照すると、本実施形態の２次電池１００は、キャッププレート３０の外面に配置される第１インシュレータ７０と、キャッププレート３０の内面に配置される第２インシュレータ８０とを含む。
【００３４】
また、本実施形態の２次電池１００は、キャッププレート３０と第１インシュレータ７０との間に備える第１結合部３１、第１インシュレータ７０と電極端子４０との間に備える第２結合部３２、キャッププレート３０と第２インシュレータ８０との間に備える第３結合部３３、及び第２インシュレータ８０と集電部材６０との間に備える第４結合部３４を含む。
【００３５】
第１インシュレータ７０が、電極端子４０とキャッププレート３０との間で絶縁構造を完成する場合、第２インシュレータ８０が適用されないことがある（図示せず）。第２インシュレータ８０が適用されないと同時に、電極端子４０が集電部材６０に安定的に接続される場合、第３結合部３３及び第４結合部３４が適用されないことがある（図示せず）。便宜上、本実施形態では、第１インシュレータ７０、第２インシュレータ８０、第１結合部３１、第２結合部３２、第３結合部３３、及び第４結合部が全て含まれている構造を例示して説明する。
【００３６】
キャッププレート３０の第１端子孔４１に電極端子４０が設置されるので、電極端子４０の長さ方向の中心線ＣＬ（図２参照）に沿って、第１インシュレータ７０に第２端子孔４２が、第２インシュレータ８０に第３端子孔４３が、集電部材６０に第４端子孔４４が形成される。
【００３７】
第１端子孔４１、第２端子孔４２、及び第３端子孔４３と、電極端子４０との間に介在するガスケット５３は、電極端子４０とキャッププレート３０との締結部をシーリングする。
【００３８】
第１結合部３１は、キャッププレート３０と第１インシュレータ７０との間に形成され、両者を互いに結合させ、電極端子４０の中心線ＣＬ上に一致する第１端子孔４１及び第２端子孔４２の中心に対して一側に偏心して形成される。
【００３９】
つまり、２次電池１００の組立時、ナット（図示せず）の回転力を受ける電極端子４０の中心線ＣＬと、第１結合部３１とが互いに離隔しているので、第１インシュレータ７０はキャッププレート３０の外面に固定結合された状態を維持する。
【００４０】
第１インシュレータ７０をキャッププレート３０の外面で回転しないように固定させるために、以下で具体的に説明する第１結合部３１を備えることもでき、キャッププレート３０の外周に突出するフランジ３５を形成して、第１インシュレータ７０をキャッププレート３０の外面に固定結合させることも可能である。
【００４１】
まず、これについて説明すると、第１インシュレータ７０はフランジ３５に少なくとも一側面が支持される対応面を有する。図３及び図４に示したように、第１インシュレータ７０は、一側の三辺のフランジ３５に対応する多角形プレートに形成される。
【００４２】
第１結合部３１は、キャッププレート３０の外面で外側に突出形成される第１突起３１１と、第１突起３１１に対応する第１インシュレータ７０の対向面に凹むように形成される第１溝３１２とを含む。第１突起３１１及び第１溝３１２は、キャッププレート３０の長さ方向の一側端と第１端子孔４１及び第２端子孔４２との間に形成される。
【００４３】
第１インシュレータ７０をキャッププレート３０の外面に配置すれば、第１突起３１１と第１溝３１２は、第１端子孔４１及び第２端子孔４２の中心から離隔した位置で互いに結合されるので、電極端子４０を通じて第１インシュレータ７０に伝達される回転力に抵抗して第１インシュレータ７０の回転を防止する。
【００４４】
第２結合部３２は、第１インシュレータ７０と電極端子４０との間に形成されて両者を互いに結合させ、電極端子４０の中心線ＣＬで一側に偏心して形成される。
【００４５】
第２結合部３２は、第１インシュレータ７０の第２端子孔４２の外側に少なくとも第２端子孔４２を含む範囲の多角形に形成される第１多角溝３２１と、第１多角溝３２１に対応して結合するように電極端子４０の一側に突出形成される突出部３２２とを含む。第１多角溝３２１及び突出部３２２は、第１突起３１１及び第１溝３１２の一直線上に配置することができる。
【００４６】
電極端子４０の突出部３２２と第１インシュレータ７０の第１多角溝３２１は、第２端子孔４２を中心にキャッププレート３０の長さ方向の一側端に偏心する長方形に形成される。
【００４７】
電極端子４０を第１インシュレータ７０に挿入すると、電極端子４０の突出部３２２と第１インシュレータ７０の第１多角溝３２１は、第２端子孔４２の中心から離隔した位置で互いに結合されるので、電極端子４０に伝達される回転力に抵抗して電極端子４０の回転を防止する。
【００４８】
第３結合部３３は、キャッププレート３０と第２インシュレータ８０との間に形成されて両者を互いに結合させ、電極端子４０の中心線ＣＬ上に一致する第１端子孔４１及び第３端子孔４３の中心に対し、少なくとも一側端に偏心して形成される。
【００４９】
第３結合部３３は、第２インシュレータ８０の外面で外側に突出形成される第２突起３３１と、第２突起３３１に対応するキャッププレート３０の対向面に凹むように形成される第２溝３３２とを含む。第２突起３３１と第２溝３３２は、キャッププレート３０の長さ方向の一側端と第３端子孔４３及び第４端子孔４４との間に形成される。第２突起３３１及び第２溝３３２は、第１多角溝３２１及び突出部３２２の一直線上に配置することができる。
【００５０】
第２インシュレータ８０をキャッププレート３０の内面に配置すれば、第２突起３３１と第２溝３３２は、第３端子孔４３及び第４端子孔４４の中心から離隔した位置で互いに結合されるので、電極端子４０を通じて第２インシュレータ８０に伝達される回転力に抵抗して第２インシュレータ８０の回転を防止する。
【００５１】
第４結合部３４は、第２インシュレータ８０と集電部材６０との間に形成されて両者を互いに結合させ、電極端子４０の中心線ＣＬ上に一致する第３端子孔４３及び第４端子孔４４の中心に対して一側に偏心して形成される。
【００５２】
第４結合部３４は、第２インシュレータ８０の第３端子孔４３の外側に少なくとも集電部材６０の第４端子孔４４を含む範囲の多角形に形成される第２多角溝３４１と、第２多角溝３４１に対応して結合するように集電部材６０に多角形に形成される多角プレート３４２とを含む。第２多角溝３４１と多角プレート３４２は、キャッププレート３０の長さ方向の一側端と第３端子孔４３及び第４端子孔４４との間に形成される。
【００５３】
例えば、第２多角溝３４１と多角プレート３４２は、第３端子孔４３及び第４端子孔４４を中心にキャッププレート３０の長さ方向の一端に偏心して長方形に形成される。また、第２多角溝３４１と多角プレート３４２は、第３端子孔４３及び第４端子孔４４の反対側にそれぞれさらに延長形成されて結合される延長溝３４１ａと延長部３４２ａとをさらに含む。第２多角溝３４１と多角プレート３４２は、第２突起３３１及び第２溝３３２の一直線上に配置することができる。
【００５４】
集電部材６０の多角プレート３４２を第２インシュレータ８０の外面に配置すれば、第２多角溝３４１と多角プレート３４２は、第３端子孔４３及び第４端子孔４４の中心から離隔した位置で互いに結合されるので、電極端子４０を通じて第２インシュレータ８０及び集電部材６０に伝達される回転力に抵抗して、第２インシュレータ８０及び集電部材６０の回転を防止する。
【００５５】
第１結合部３１、第２結合部３２、第３結合部３３、及び第４結合部の少なくとも２つは、電極端子４０の中心線ＣＬと平行する一直線上に形成することができる。第１結合部３１、第２結合部３２、第３結合部３３、及び第４結合部３４のうち、多くの個数が一直線上に形成されると、電極端子４０の回転防止がさらに効果的に支持できる。
【００５６】
以上、添付図面を参照しながら本発明の好適な実施の形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００５７】
１０    電極群
１１    正極
１１ａ，１２ａ    無地部
１２    負極
１３    セパレータ
２０    ケース
３０    キャッププレート
３１    第１結合部
３２    第２結合部
３３    第３結合部
３４    第４結合部
３５    フランジ
４０    電極端子
４１    第１端子孔
４２    第２端子孔
４３    第３端子孔
４４    第４端子孔
５１    密封キャップ
５２    ベント部
５３    ガスケット
６０    集電部材
７０    第１インシュレータ
８０    第２インシュレータ
１００    ２次電池
３１１    第１突起
３３１    第２突起
３１２    第１溝
３３２    第２溝
３２１    第１多角溝
３４１    第２多角溝
３２２    突出部
３４２    多角プレート
３４１ａ    延長溝
３４２ａ    延長部
【図１】
2010212240.tif 000003
【図２】
2010212240.tif 000004
【図３】
2010212240.tif 000005
【図４】
2010212240.tif 000006